(57)【特許請求の範囲】
【請求項１】
ノズル部材とカバー部材とレバー部材とを備え、
前記ノズル部材は、エアゾール缶のステムに着脱可能に取り付けられる嵌合筒と、前端から内容物を吐出させるノズルと、前記嵌合筒の上端及び前記ノズルの後端に連結するノズル基体とを有し、
前記カバー部材は、上部、前部及び後部が開放すると共に前記ノズル基体を収容する収容凹部の周面を形成する内周壁と、該内周壁の上端縁に繋がるフランジ状壁と、該フランジ状壁の外周縁から垂下すると共に前記エアゾール缶のマウンティングカップに取り付けられる外周壁とを有し、
前記レバー部材は、押圧力の付与にて前記ノズル部材を押し下げる操作レバーを有すると共に、前記収容凹部に配置される、エアゾール缶用吐出具において、
前記レバー部材は、前記操作レバーの前端がヒンジを介して連結されると共に前記収容凹部に配置されるレバー支持体と、該レバー支持体の両側部に連結する一対のアームとを有し、前記一対のアームの先端を内側に押し込み上方に持ち上げることで、前記カバー部材から取外されるようになっていることを特徴とするエアゾール缶用吐出具。
【請求項２】
前記一対のアームは、それぞれ、前記レバー支持体に連結すると共に上下方向に延びる縦壁部と、該縦壁部の上部に連結すると共に側方に延びる横壁部とを有し、
前記一対のアームの横壁部の先端は、それぞれ、前記カバー部材の前記外周壁から外周側に突出しており、
前記一対のアームの縦壁部は、それぞれ、前記一対のアームの横壁部の先端を内側に押し込むことで、前記カバー部材との係合が解除される係止部を有する、請求項１に記載のエアゾール缶用吐出具。
【請求項３】
前記レバー部材は、前記レバー支持体の後部に連結し、前記操作レバーの押し下げを防止する誤操作防止位置と該防止を解除する解除位置の間でヒンジを介して回動可能なストッパを有する、請求項１又は２に記載のエアゾール缶用吐出具。
【請求項４】
前記ストッパは、前記誤操作防止位置において前記操作レバーの下面に当接するレバー受け部と、前記操作レバーの上面に係合して該ストッパを前記誤操作防止位置に保持する係止爪部と、該係止爪部と前記操作レバーの上面との係合を解除させるために操作される指掛け部とを有する、請求項３に記載のエアゾール缶用吐出具。
【請求項５】
前記ストッパの指掛け部は、前記解除位置において前記カバー部材の外周壁に係止可能である、請求項４に記載のエアゾール缶用吐出具。
【発明の詳細な説明】
【技術分野】
【０００１】
本発明は、ノズル部材とカバー部材とレバー部材とを備えるエアゾール缶用吐出具に関し、特に、簡素な構造により、レバー部材をカバー部材に対して着脱可能に構成し、もってノズル部材の洗浄を容易化しようとするものである。
【背景技術】
【０００２】
従来、この種のエアゾール缶用吐出具として、例えば特許文献１に記載されるようなものが知られている。特許文献１では、ノズル部材は、エアゾール缶のステムに着脱可能に取り付けられる嵌合筒と、前端から内容物を吐出させるノズルと、嵌合筒の上端及びノズルの後端に連結するノズル基体とを有している。また、カバー部材は、上部、前部及び後部が開放すると共にノズル基体を収容する収容凹部の周面を形成する内周壁と、該内周壁の上端縁に繋がるフランジ状壁と、該フランジ状壁の外周縁から垂下すると共にエアゾール缶のマウンティングカップに取り付けられる外周壁とを有している。さらに、レバー部材は、押圧力の付与にてノズル部材を押し下げる操作レバーを有すると共に、前記収容凹部に配置されている。
【先行技術文献】
【特許文献】
【０００３】
【特許文献１】特許第３９６４２８５号公報
【発明の概要】
【発明が解決しようとする課題】
【０００４】
しかしながら、特許文献１に記載されるような従来のエアゾール缶用吐出具では、レバー部材は、カバー部材に上方への抜け出し不能に嵌合して収容凹部に配置されるようになっているため、ノズル部材の洗浄に際しては、ノズル部材をカバー部材から取り外して洗浄することができず、ノズル部材の洗浄が必ずしも容易であるとは言い難かった。
【０００５】
本発明は、前記の現状に鑑み開発されたもので、簡素な構造により、レバー部材をカバー部材に対して着脱可能に構成し、もってノズル部材の洗浄を容易化することができるエアゾール缶用吐出具を提供することを目的とする。
【課題を解決するための手段】
【０００６】
すなわち、本発明の要旨構成は以下のとおりである。
１．ノズル部材とカバー部材とレバー部材とを備え、
前記ノズル部材は、エアゾール缶のステムに着脱可能に取り付けられる嵌合筒と、前端から内容物を吐出させるノズルと、前記嵌合筒の上端及び前記ノズルの後端に連結するノズル基体とを有し、
前記カバー部材は、上部、前部及び後部が開放すると共に前記ノズル基体を収容する収容凹部の周面を形成する内周壁と、該内周壁の上端縁に繋がるフランジ状壁と、該フランジ状壁の外周縁から垂下すると共に前記エアゾール缶のマウンティングカップに取り付けられる外周壁とを有し、
前記レバー部材は、押圧力の付与にて前記ノズル部材を押し下げる操作レバーを有すると共に、前記収容凹部に配置される、エアゾール缶用吐出具において、
前記レバー部材は、前記操作レバーの前端がヒンジを介して連結されると共に前記収容凹部に配置されるレバー支持体と、該レバー支持体の両側部に連結する一対のアームとを有し、前記一対のアームの先端を内側に押し込み上方に持ち上げることで、前記カバー部材から取外されるようになっていることを特徴とするエアゾール缶用吐出具。
【０００７】
２．前記一対のアームは、それぞれ、前記レバー支持体に連結すると共に上下方向に延びる縦壁部と、該縦壁部の上部に連結すると共に側方に延びる横壁部とを有し、
前記一対のアームの横壁部の先端は、それぞれ、前記カバー部材の前記外周壁から外周側に突出しており、
前記一対のアームの縦壁部は、それぞれ、前記一対のアームの横壁部の先端を内側に押し込むことで、前記カバー部材との係合が解除される係止部を有する、前記１のエアゾール缶用吐出具。
【０００８】
３．前記レバー部材は、前記レバー支持体の後部に連結し、前記操作レバーの押し下げを防止する誤操作防止位置と該防止を解除する解除位置の間でヒンジを介して回動可能なストッパを有する、前記１又は２のエアゾール缶用吐出具。
【０００９】
４．前記ストッパは、前記誤操作防止位置において前記操作レバーの下面に当接するレバー受け部と、前記操作レバーの上面に係合して該ストッパを前記誤操作防止位置に保持する係止爪部と、該係止爪部と前記操作レバーの上面との係合を解除させるために操作される指掛け部とを有する、前記３のエアゾール缶用吐出具。
【００１０】
５．前記ストッパの指掛け部は、前記解除位置において前記カバー部材の外周壁に係止可能である、前記４のエアゾール缶用吐出具。
【発明の効果】
【００１１】
本発明によれば、レバー支持体の両側部に連結する一対のアームの先端を内側に押し込み上方に持ち上げることで、レバー部材をカバー部材から取外すことができる。
【００１２】
したがって、本発明によれば、簡素な構造により、レバー部材をカバー部材に対して着脱可能に構成し、もってノズル部材の洗浄を容易化することができるエアゾール缶用吐出具を提供することができる。
【図面の簡単な説明】
【００１３】
【図１】本発明の一実施形態に係るエアゾール缶用吐出具の平面図である。
【図２】図１のエアゾール缶用吐出具をエアゾール缶に取り付けた状態を表す半断面正面図である。
【図３】図１のエアゾール缶用吐出具をエアゾール缶に取り付けた状態を表す側面図である。
【図４】図１のエアゾール缶用吐出具をエアゾール缶に取り付けた状態を表す背面図である。
【図５】図１のエアゾール缶用吐出具をエアゾール缶に取り付けた状態を表す一部断面側面図である。
【図６】図１のエアゾール缶用吐出具におけるレバー部材の成形時の状態を表す図であり、（ａ）は（ｂ）のＡ−Ａ断面図であり、（ｂ）は背面図である。
【図７】図６のレバー部材のストッパを誤操作防止位置とした状態を表す図であり、（ａ）は（ｂ）のＡ−Ａ断面図であり、（ｂ）は背面図である。
【図８】図１のエアゾール缶用吐出具の組み付け要領を表す一部断面側面図である。
【図９】図１のエアゾール缶用吐出具の使用時の状態を表す一部断面側面図である。
【図１０】図１のエアゾール缶用吐出具におけるノズル部材の変形例を表す縦断面図である。
【発明を実施するための形態】
【００１４】
以下、図１〜図１０を参照して、本発明の一実施形態に係るエアゾール缶用吐出具１について詳細に例示説明する。
なお、本明細書において前方とは、ノズル２１の前端２１ａ（吐出口）側であり、後方とは、ノズル２１の軸線に沿って前方とは反対側である。また、側方とは、前方から後方に向ってエアゾール缶用吐出具１を見る際の左右方向である。
【００１５】
図１〜図５に示すように、本実施形態に係るエアゾール缶用吐出具１（以下、吐出具１ともいう）は、ノズル部材２０とカバー部材３０とレバー部材４０とを備え、エアゾール缶５０には、固定盤６０を介して取り付けられるようになっている。吐出具１は、本実施形態では、左右に並列配置された一対のエアゾール缶５０に取り付けられる、２連式エアゾール缶用吐出具１として構成されている。なお、ノズル部材２０、カバー部材３０、レバー部材４０及び固定盤６０は、例えば、合成樹脂による射出成形によって形成することができる。
【００１６】
一対のエアゾール缶５０はいずれも、例えば金属製の有底筒状の容器本体に、例えば金属製のマウンティングカップ５１の外縁を巻き締めして固着したものであり、マウンティングカップ５１から立ち上がるステム５２を有している。
【００１７】
固定盤６０は、マウンティングカップ５１と係合する係止爪６１（図５参照）と、ステム５２を露出させる開口とを備え、一対のエアゾール缶５０のマウンティングカップ５１に取り付けられている。
【００１８】
ノズル部材２０は、前端２１ａに内容物の吐出口を有するノズル２１と、一対のエアゾール缶５０のステム５２にそれぞれ嵌合により着脱可能に取り付けられる一対の嵌合筒２２と、ノズル２１の基端及び一対の嵌合筒２２の上端に連結するノズル基体２３とを有する。ノズル基体２３には、一対の嵌合筒２２を通じてステム５２から流入する内容物を、ノズル２１の基端に導く流路が形成されている。なお、ノズル部材２０は、ヒンジ２４を介して連結された上側ノズル部と下側ノズル部とを備える一体成型品であり、下側ノズル部を上側ノズル部に嵌合させることで形成されている。上側ノズル部はノズル２１とノズル基体２３の一部とで構成され、下側ノズル部は一対の嵌合筒２２とノズル基体２３の一部とで構成されている。
【００１９】
また、カバー部材３０は、上部、前部及び後部が開放すると共にノズル基体２３を収容する収容凹部Ｒの周面を形成する内周壁３１と、該内周壁３１の下端に繋がりエアゾール缶５０のステム５２を露出させる開口を有する底壁３２と、内周壁３１の上端縁に繋がるフランジ状壁３３と、該フランジ状壁３３の外周縁から垂下すると共にエアゾール缶５０のマウンティングカップ５１に固定盤６０を介して取り付けられる外周壁３４とを有している。カバー部材３０は、外周壁３４の両側部に設けた嵌合孔３５を、固定盤６０における爪部６２に対し、上方への引き抜け不能に嵌合させることで、固定盤６０に固定されている。
【００２０】
レバー部材４０は、押圧力の付与にてノズル部材２０を押し下げる操作レバー４１を有すると共に、収容凹部Ｒに配置されている。詳細には、レバー部材４０は、操作レバー４１の前端がヒンジ４２を介して連結されると共に収容凹部Ｒに配置されるレバー支持体４３と、該レバー支持体４３の両側部に連結する逆Ｌ字状の一対のアーム４４とを有し、一対のアーム４４の先端４４ａを内側に（すなわち、一対のアーム４４の先端４４ａ同士が近づく方向に）押し込み上方に持ち上げることで、カバー部材３０から取外されるようになっている。
【００２１】
具体的には、一対のアーム４４は、それぞれ、レバー支持体４３に連結すると共に上下方向に延びる縦壁部４４ｂと、該縦壁部４４ｂの上部に連結すると共に側方に延びる横壁部４４ｃとを有する。また、一対のアーム４４の横壁部４４ｃの先端４４ａは、それぞれ、カバー部材３０の外周壁３４から外周側に突出している。さらに、一対のアーム４４の縦壁部４４ｂは、それぞれ、一対のアーム４４の横壁部４４ｃの先端４４ａを内側に（すなわち、一対のアーム４４の横壁部４４ｃの先端４４ａ同士が近づく方向に）押し込むことで、カバー部材３０との係合が解除される係止部４４ｄを有する。本実施形態では、係止部４４ｄは、カバー部材３０の内周壁３１に形成されたアンダーカット（本例では切り欠き）に係止される突起により構成されている。
【００２２】
図６〜図７に示すように、レバー部材４０は、レバー支持体４３の後部に連結し、操作レバー４１の押し下げを防止する誤操作防止位置と該防止を解除する解除位置の間でヒンジ４５を介して回動可能なストッパ４６を有している。ストッパ４６は、誤操作防止位置において操作レバー４１の下面に当接するレバー受け部４６ａと、操作レバー４１の上面に係合して該ストッパ４６を誤操作防止位置に保持する係止爪部４６ｂと、該係止爪部４６ｂと操作レバー４１の上面との係合を解除させるために操作される指掛け部４６ｃとを有している。
【００２３】
また、ストッパ４６は、後掲図９に示すように、解除位置においてカバー部材３０の外周壁３４に係止可能になっている。具体的には、カバー部材３０の外周壁３４には、ストッパ４６の指掛け部４６ｃを挿入可能な開口部３６が設けられると共に、該開口部３６には、指掛け部４６ｃと係合してストッパ４６を解除位置に保持する係止突起３６ａが設けられている。
【００２４】
かかる構成になる本実施形態に係るエアゾール缶用吐出具１によれば、図８に示すように、カバー部材３０の収容凹部Ｒにノズル部材２０を配置し、次いで、レバー部材４０をカバー部材３０に取り付けることで、吐出具１を組立てることができる。このとき、ストッパ４６を誤操作防止位置としておくことで、ストッパ４６が吐出具１の組立ての邪魔にならないようにすることができる。そして、このようにして組立てた吐出具１を、図５に示したように、一対のエアゾール缶５０のマウンティングカップ５１に取り付けられた固定盤６０に取り付けることができる。
【００２５】
この状態では、一対のアーム４４をカバー部材３０に係合させてレバー支持体４３を収容凹部Ｒに配置しているため、収容凹部Ｒからのレバー支持体４３の上方への抜け出しが阻止される。そして、図９に示すように、ストッパ４６を解除位置に回動させて、操作レバー４１を操作することで、ノズル部材２０を押し下げ、ノズル２１の前端２１ａから内容物を吐出することができる。
【００２６】
また、ノズル部材２０の洗浄に際しては、図１に矢印で示したように、レバー支持体４３の両側部に連結する一対のアーム４４の先端４４ａを内側に押し込み上方に持ち上げることで、レバー部材４０をカバー部材３０から取外すことができるため、ノズル部材２０の洗浄を容易化することができる。
【００２７】
また、エアゾール缶用吐出具１では、ストッパ４６をレバー部材４０に一体に設けたので、誤操作防止として従来必要とされたオーバーキャップを不要にし、部品点数を削減することができる。また、ストッパ４６をレバー部材４０と一体に設けたことで、ストッパ４６と操作レバー４１との相対位置の精度を高めることができ、ストッパ４６を誤操作防止位置とする際に、ストッパ４６を操作レバー４１にスムーズに嵌合させることが可能になる。
【００２８】
また、エアゾール缶用吐出具１では、ストッパ４６にレバー受け部４６ａと係止爪部４６ｂと指掛け部４６ｃとを設けたことにより、操作レバー４１の誤操作防止とストッパ４６の操作性向上を実現することができる。
【００２９】
さらに、エアゾール缶用吐出具１では、ストッパ４６の指掛け部４６ｃは、前記解除位置においてカバー部材３０の外周壁３４に係止可能であるため、内容物を吐出する際にストッパ４６が操作レバー４１の操作の邪魔になることを防止することができる。
【００３０】
なお、前述したノズル部材２０としては、図示した構成のものに代えて、例えば、図１０に示すようなものを用いることもできる。図１０に示した構成のノズル部材２０’によれば、ノズル部材２０’をエアゾール缶５０のステム５２（図５参照）から取り外した際に、図１０（ａ）中の矢印で示すように、ノズル基体２３に設けられた係合レバー２５を操作することで、図１０（ｂ）に示すように、ノズル基体２３を、ヒンジ２４を中心に開放させることができ、ノズル基体２３内の流路を容易に洗浄することが可能となる。
【００３１】
前述したところは本発明の一実施形態を示したにすぎず、特許請求の範囲において、種々の変更を加えることができる。例えば、前述したいずれの実施形態においても、カバー部材３０は、固定盤６０を介してエアゾール缶５０に取り付けられるものとして説明したが、必ずしもこのような構成に限られるものではなく、固定盤６０を省略し、カバー部材３０を直接、エアゾール缶５０に取り付けるように構成することも可能である。また、前述したいずれの実施形態においても、吐出具１を２連式エアゾール缶用吐出具１として構成した場合について説明したが、例えば、１本又は２本のステム５２を有する単一のエアゾール缶５０に取り付けるように構成してもよい。
【符号の説明】
【００３２】
１  エアゾール缶用吐出具
２０，２０’  ノズル部材
２１  ノズル
２１ａ  ノズルの前端
２２  嵌合筒
２３  ノズル基体
２４  ヒンジ
２５  係合レバー
３０  カバー部材
３１  内周壁
３２  底壁
３３  フランジ状壁
３４  外周壁
３５  嵌合孔
３６  開口部
３６ａ  係止突起
４０  レバー部材
４１  操作レバー
４２  ヒンジ
４３  レバー支持体
４４  アーム
４４ａ  横壁部の先端（アームの先端）
４４ｂ  縦壁部
４４ｃ  横壁部
４４ｄ  係止部
４５  ヒンジ
４６  ストッパ
４６ａ  レバー受け部
４６ｂ  係止爪部
４６ｃ  指掛け部
５０  エアゾール缶
５１  マウンティングカップ
５２  ステム
６０  固定盤
６１  係止爪
６２  爪部
Ｒ  収容凹部
【図１】
0006300685.tif 000002
【図２】
0006300685.tif 000003
【図３】
0006300685.tif 000004
【図４】
0006300685.tif 000005
【図５】
0006300685.tif 000006
【図６】
0006300685.tif 000007
【図７】
0006300685.tif 000008
【図８】
0006300685.tif 000009
【図９】
0006300685.tif 000010
【図１０】
0006300685.tif 000011